(57)【特許請求の範囲】
【請求項１】
リフレクタと、ＬＥＤチップと、内部が空洞になっている円筒とを備え、
前記円筒の一方端部には、円錐状のレンズが設けられ、前記円筒の他方端部には、前記円筒に連通した開口と前記リフレクタの外径に概略等しい外径とを有する円板状の透光板が設けられ、前記円筒と前記レンズと前記透光板とが一体的に構成されており、
前記レンズの頂点に近接させて前記ＬＥＤチップが配置されており、
前記リフレクタは、前記ＬＥＤチップ、前記円筒、および前記レンズを取り囲むように配置され、前記リフレクタと前記円筒との間には空間が設けられており、
前記リフレクタと前記透光板とには、位置決め用の突起と凹みとが設けられ、前記突起と前記凹みとを嵌合させることによって、前記透光板が前記リフレクタを塞ぐように組み付けられている
ことを特徴とするＬＥＤ照明器具。
【請求項２】
請求項１の照明器具を位置決め用のガイドプレートを用いて複数配置した
ことを特徴とするＬＥＤ照明器具。
【発明の詳細な説明】
【技術分野】
【０００１】  本発明は、遠距離到達照明器具を、ＬＥＤを使用して実現しようとするものである。ＬＥＤは点光源で、対象物の所定の面積を所定の照度にするには、ＬＥＤチップの光を効率よく集光し、対象物に無駄なく収束させる技術が必要で、本発明は、それを実現するためのものである。
【背景技術】
【０００２】    従来の遠距離照明器具には、高輝度、大容量のメタルハライドランプ等が主として用いられていが、昨今の喫緊の課題となっているＣＯ２削減のニーズに対応するためには、消費電力が１／６から１／１０に削減可能なＬＥＤを使用した照明器具の開発が必須となっている。【０００３】  ＬＥＤを使用して遠距離にある対象物を照明しようとする時、点光源であるＬＥＤチップからの光束を効率よく集光し、遠くにある対象物の大きさに合わせたスポットに収束させるには、従来の単一集光レンズを使用する手法やリフレクタや配光レンズを備えているがＬＥＤチップとの間に何も設置しない構成では、ＬＥＤチップからの光は所望の光路以外にも拡散し、概ね距離の二乗分の１に比例して照度が減少するために遠距離到達照明の実現は不可能だった。
【特許文献１】特開２００８−１６３４１
【特許文献２】特開２００７−８０８６６
【特許文献３】特開２００６−２４３８１
【発明の開示】
【発明が解決しようとする課題】
【０００５】  本発明は、遠距離到達照明器具を、ＬＥＤを使用して実現しようとするものである。そのためには、ＬＥＤチップ２から周辺に拡散する光を、一方の端面が発光方向に指向性を持つ略円錐状に成形されたレンズ５（以下レンズ）で効率よく集光し、レンズ３の出光側端面に近接し、内部が空洞になっている円筒で、レンズ５で集光され外部に拡散しようとする光を封じ込めて対象物に導光し、かつレンズで補足し切れなかった光は、リフレクタ３で補足し、所定の方向に反射、屈折させるなど、光を効率よく、遠くにある対象物の所望の位置、範囲に収束させるための光学的手段の開発が必要となる。
【課題を解決するための手段】
【０００６】  本発明は、レンズ５（以下レンズ）の頂点に近接させてＬＥＤチップ２を配置し、円錐の頂角を変えることで、照射対象の距離及び照明スポットの大きさを任意に設定できるようにした。【０００７】  また、レンズ５を取り囲むようにリフレクタ３を配し、レンズ５で補足出来なかった光を補足し、所定の方向に反射屈折させながら出光することで、出光効率を向上させる。【０００８】  また、レンズ３の出光側の端面に近接し、内部が空洞になっている円筒で、レンズ５で集光され外部に拡散しようとする光を封じ込めて対象物に導光する。【０００９】  また、レンズ５の出光側の端面に、内部が空洞の円筒（以下円筒）と円筒の外径と概略等しい開口径とリフレクタ３の外形に概略等しい外形を有する透光板４或いはフレネルレンズ４を、リフレクタ３を塞ぐように組み付けることで、ＬＥＤチップ２とレンズ５の位置関係を確定出来るようにした。【００１０】
また、透光板４或いはフレネルレンズ４およびリフレクタ３に位置決め用の突起或いは凹み（図２）を設けて、両者をかん合させることで、ＬＥＤチップ２とレンズ５の位置関係を補助手段なしで確定することが出来るようにした。
より具体的には、本発明は、リフレクタと、ＬＥＤチップと、内部が空洞になっている円筒とを備え、前記円筒の一方端部には、円錐状のレンズが設けられ、前記円筒の他方端部には、前記円筒に連通した開口と前記リフレクタの外径に概略等しい外径とを有する円板状の透光板が設けられ、前記円筒と前記レンズと前記透光板とが一体的に構成されており、前記レンズの頂点に近接させて前記ＬＥＤチップが配置されており、前記リフレクタは、前記ＬＥＤチップ、前記円筒、および前記レンズを取り囲むように配置され、前記リフレクタと前記円筒との間には空間が設けられており、前記リフレクタと前記透光板とには、位置決め用の突起と凹みとが設けられ、前記突起と前記凹みとを嵌合させることによって、前記透光板が前記リフレクタを塞ぐように組み付けられていることを特徴としている。
【００１１】  また、位置決め用のガイドプレート６（図３）を用い、単一照明器具を複数並べることで、要求される到達距離、照度、スポットの面積等に適合した照明器具を実現可能とした。
【発明の効果】
【００１２】  本発明は、レンズ５の頂点に近接させてＬＥＤチップ２を配置し、略円錐の頂角を変えることで、照射対象の距離及び照明スポットの大きさを任意に設定できる。また、レンズ５で補足出来なかった光は、レンズ５を取り囲むように配置したリフレクタ３で補足し、所定の方向に反射屈折させながら出光することで、出光効率が著しく向上する。
レンズ５の出光側の端面に接して、円筒と円筒の外径と概略等しい開口径とリフレクタ３の外形に概略等しい外形を有する透光板４或いはフレネルレンズ４を、リフレクタ３を塞ぐように組み付けるが、透光板４あるいはフレネルレンズ４およびリフレクタ３に位置決め用の突起或いは凹みを設けて両者をかん合させることで、ＬＥＤチップ２とレンズ５との位置関係を補助手段なしで確定させることが出来る。
【発明を実施するための最良の形態】
【００１３】    図１に、本発明の実施例を示す。アルミ基板等の放熱性が良好な基板１に絶縁皮膜を介してＬＥＤチップ２が実装される。ＬＥＤチップ２に近接させて、一方の端面が発光方向に指向性を持つ略円錐状に成形されたレンズ５が配置し、ＬＥＤチップ２とレンズ５との距離、あるいは略円錐の頂角を変えることで、照射対象の距離及び照明スポットの大きさに応じて任意に設定できるようになっている。また、レンズで補足出来なかった光は、レンズを取り囲むように配置したリフレクタ３で補足し、所定の方向に反射屈折させながら出光することで、出光効率が著しく向上する。
ＬＥＤチップ２とレンズの位置関係を確定させるには、レンズ５の出光側に、円筒と円筒の外径と概略等しい開口径とリフレクタ３の外形に概略等しい外形を有する透光板４或いはフレネルレンズ４を、リフレクタ３を塞ぐように組み付ける。その際、図２に示すように、透光板４或いはフレネルレンズ４およびリフレクタ３に位置決め用の突起或いは凹み（拡大図）を設けて両者をかん合させることで、ＬＥＤチップ２とレンズ５との位置関係を補助手段なしで確定させることが出来る。
【図面の簡単な説明】
【００１４】
【図１】  本発明による遠距離到達ＬＥＤ照明器具の主要部品構成を示す。
【図２】  本発明による遠距離到達ＬＥＤ照明器具の主要部品組立図を示す。
【図３】  本発明による複合型遠距離到達ＬＥＤ照明器具の構成を示す。
【符号の説明】
【００１５】  １  アルミ基板
２  ＬＥＤチップ
３  リフレクタ
４  透光板或いはフレネルレンズ
５  レンズ
６  ガイドプレート
【図１】
0004880637.tif 000002
【図２】
0004880637.tif 000003
【図３】
0004880637.tif 000004